(57)【要約】【課題】不適切な交換レンズの誤装着を簡易に防止できる撮像装置の技術を提供する。【解決手段】撮像装置１０には、マウント部３０１の外縁に沿って着色されたカラーリングＣａが設けられている。一方、マウント部３０１に接続する交換レンズのマウント部にも外縁に沿って着色されたカラーリングが設けられている。ここで、適切な組合せとなる撮像装置および交換レンズのカラーリングを同一色で着色するとともに適切な組合せごとに色を変更すれば、カラーリングに付された色の一致・不一致を判断することで、装着しようとする交換レンズが撮像装置１０に対して適切なものであるか否かの判断が可能となる。その結果、不適切な交換レンズの誤装着を簡易に防止できる。【選択図】図１
2008015476.tif 000002
【特許請求の範囲】
【請求項１】
交換レンズを着脱可能な撮像装置であって、
前記交換レンズを装着するマウント部、
を備え、
前記マウント部の周囲には、当該マウント部の外縁に沿って特定の色が付された着色領域が設けられるとともに、
交換レンズのうち前記撮像装置との適合性に関する所定の条件を満たす特定の交換レンズでは、前記撮像装置のマウント部に接続するマウント部の周囲に、当該マウント部の外縁に沿って前記特定の色と同等の色が付された着色領域が設けられることを特徴とする撮像装置。
【請求項２】
請求項１に記載の撮像装置において、
前記着色領域は、リング状の領域であることを特徴とする撮像装置。
【請求項３】
請求項１に記載の撮像装置において、
被写体に係る画像信号を生成する撮像センサ、
をさらに備えるとともに、
前記所定の条件は、前記撮像センサにおける撮像面のサイズに対しての適合条件であり、
前記着色領域では、前記撮像面のサイズに応じて規定される色が付されていることを特徴とする撮像装置。
【請求項４】
請求項１に記載の撮像装置において、
前記所定の条件は、前記撮像装置におけるフランジバックの長さに対しての適合条件であり、
前記着色領域では、前記フランジバックの長さに応じて規定される色が付されていることを特徴とすることを特徴とする撮像装置。
【請求項５】
請求項１に記載の撮像装置において、
前記着色領域では、前記撮像装置がフィルムカメラの場合とデジタルカメラの場合とで異なる色が付されていることを特徴とする撮像装置。
【請求項６】
請求項１に記載の撮像装置において、
前記着色領域は、印刷によって着色されていることを特徴とする撮像装置。
【請求項７】
請求項１に記載の撮像装置において、
前記特定の色が付され、前記マウント部の周囲に配設された環状の部材、
をさらに備え、
前記撮像装置の前面に露出している前記環状の部材によって前記着色領域が形成されることを特徴とする撮像装置。
【請求項８】
請求項１に記載の撮像装置において、
前記着色領域は、前記マウント部の接合面と平行な面に設けられていることを特徴とする撮像装置。
【請求項９】
請求項１に記載の撮像装置において、
前記着色領域は、前記マウント部の接合面から後方に一定距離だけ下がった位置に設けられていることを特徴とする撮像装置。
【請求項１０】
請求項９に記載の撮像装置において、
前記着色領域の外縁に沿って配設された環状の部材、
をさらに備え、
前記環状の部材の前端面と前記マウント部の接合面とは、略同一の平面上に配置されることを特徴とする撮像装置。
【請求項１１】
請求項１０に記載の撮像装置において、
前記環状の部材の前端面は、前記マウント部の接合面の色と同等の色を有していることを特徴とする撮像装置。
【請求項１２】
撮像装置に着脱可能な交換レンズであって、
前記撮像装置に装着されるマウント部、
を備え、
前記マウント部の周囲には、当該マウント部の外縁に沿って特定の色が付された着色領域が設けられるとともに、
撮像装置のうち前記交換レンズとの適合性に関する所定の条件を満たす特定の撮像装置では、前記交換レンズのマウント部に接続するマウント部の周囲に、当該マウント部の外縁に沿って前記特定の色と同等の色が付された着色領域が設けられることを特徴とする交換レンズ。
【発明の詳細な説明】
【技術分野】
【０００１】
本発明は、交換レンズを着脱可能な撮像装置の技術に関する。
【背景技術】
【０００２】
一眼レフカメラなどのレンズ交換式のカメラシステム（撮像システム）においては、カメラボディ（のフランジバック）に対して例えばレンズバックの長さが適合しない不適切な交換レンズの装着が行われる場合がある。
【０００３】
このような不適切な交換レンズの誤装着を防止するための技術としては、レンズバックの長さに応じてマウント部の形状を変更することにより不適切な交換レンズを物理的に装着不能とするものが提案されている（特許文献１、特許文献２参照）。
【０００４】
【特許文献１】特開２００５−７０７１１号公報
【特許文献２】特開２００５−７０７１２号公報
【発明の開示】
【発明が解決しようとする課題】
【０００５】
しかしながら、上記の特許文献１、２の技術では、レンズバックの長さに応じてマウント部の形状自体を変更しなければならないため、マウント部を構成する部品の形状が複雑化（多様化）するとともに、共通部品の使用が困難となってコストアップの要因となる。
【０００６】
本発明は、上記課題に鑑みてなされたものであり、不適切な交換レンズの誤装着を簡易に防止できる撮像装置の技術を提供することを目的とする。
【課題を解決するための手段】
【０００７】
本発明の第１の側面は、交換レンズを着脱可能な撮像装置であって、前記交換レンズを装着するマウント部を備え、前記マウント部の周囲には、当該マウント部の外縁に沿って特定の色が付された着色領域が設けられるとともに、交換レンズのうち前記撮像装置との適合性に関する所定の条件を満たす特定の交換レンズでは、前記撮像装置のマウント部に接続するマウント部の周囲に、当該マウント部の外縁に沿って前記特定の色と同等の色が付された着色領域が設けられることを特徴とする。
【０００８】
また、本発明の第２の側面は、撮像装置に着脱可能な交換レンズであって、前記撮像装置に装着されるマウント部を備え、前記マウント部の周囲には、当該マウント部の外縁に沿って特定の色が付された着色領域が設けられるとともに、撮像装置のうち前記交換レンズとの適合性に関する所定の条件を満たす特定の撮像装置では、前記交換レンズのマウント部に接続するマウント部の周囲に、当該マウント部の外縁に沿って前記特定の色と同等の色が付された着色領域が設けられることを特徴とする。
【０００９】
なお、上記「同等の色」とは、全く同じ色だけでなく、一見して同じ色と認められる同系統の色も含む。
【発明の効果】
【００１０】
本発明によれば、撮像装置のマウント部の周囲には当該マウント部の外縁に沿って特定の色が付された着色領域が設けられるとともに、交換レンズのうち撮像装置との適合性に関する所定の条件を満たす特定の交換レンズでは、撮像装置のマウント部に接続するマウント部の周囲に、当該マウント部の外縁に沿って上記特定の色と同等の色が付された着色領域が設けられる。その結果、不適切な交換レンズの誤装着を簡易に防止できる。
【００１１】
また、本発明によれば、交換レンズのマウント部の周囲には当該マウント部の外縁に沿って特定の色が付された着色領域が設けられるとともに、撮像装置のうち交換レンズとの適合性に関する所定の条件を満たす特定の撮像装置では、交換レンズのマウント部に接続するマウント部の周囲に、当該マウント部の外縁に沿って上記特定の色と同等の色が付された着色領域が設けられる。その結果、不適切な交換レンズの誤装着を簡易に防止できる。
【発明を実施するための最良の形態】
【００１２】
＜実施形態＞
＜撮像装置の外観構成＞
図１〜図６は、本発明の実施形態に係る撮像装置１０の外観構成を示す図である。ここで、図１〜図６は、それぞれ正面図、背面図、上面図、底面図、左側面図および右側面図を示している。また、撮像装置１０は、交換レンズ（撮影レンズ）２の着脱が可能となっているが、図７は、撮像装置１０に交換レンズ２が装着されたカメラシステム（撮像システム）１の斜視図を示している。このカメラシステム１は、例えば一眼レフレックス型デジタルスチルカメラとして機能する。
【００１３】
図１において、撮像装置１０の正面側には、正面略中央に交換レンズ２が装着されるマウント部３０１と、マウント部３０１の右横に配置されたレンズ交換ボタン３０２と、正面左端部（Ｘ方向左側）において突設され、ユーザが片手（又は両手）により確実に把持（保持）可能とするためのグリップ部３０３と、正面左上部（Ｙ方向左上側）に配置されたモード設定ダイアル３０５と、正面右上部に配置された制御値設定ダイアル３０６と、グリップ部３０３の上面に配置されたシャッターボタン３０７とが設けられている。
【００１４】
また、図２において、撮像装置１０の背面側には、ＬＣＤ（Liquid Crystal Display）３１１と、ＬＣＤ３１１の左方に配置された設定ボタン群３１２と、ＬＣＤ３１１の右方に配置された十字キー３１４と、十字キー３１４の中央に配置されたプッシュボタン３１５と、十字キー３１４の右下に配置された手振れ補正スイッチ３１３とが備えられている。また、撮像装置１０の背面側には、ＬＣＤ３１１の上方に配設された光学ファインダ３１６と、光学ファインダ３１６の周囲を囲むアイカップ３２１と、アイカップ３２１の陰に隠れている視度調整ダイアル３２２と、光学ファインダ３１６の左方に配設されたメインスイッチ３１７と、光学ファインダ３１６の右方に配設された露出補正ボタ３２３およびＡＥロックボタン３２４と、光学ファインダ３１６の上方に配設されたフラッシュ部３１８および接続端子部３１９とが備えられている。
【００１５】
マウント部３０１は、交換レンズ２を装着するための部位であり、装着された交換レンズ２との電気的接続を行うための複数個の電気的接点や、機械的接続を行うためのカプラ等が設けられている。そして、マウント部３０１の周りには、撮像装置１０の表面色およびマウント部３０１の色と異なる、例えばオレンジ色の着色が施されたカラーリングＣａ（図１に太線で示す）が設けられている（後で詳述）。このカラーリングＣａは、一定の線幅（ライン幅）を有する円環として構成されている。
【００１６】
レンズ交換ボタン３０２は、マウント部３０１に装着された交換レンズ２を取り外す際に押下されるボタンである。
【００１７】
グリップ部３０３は、ユーザが撮影時に当該撮像装置１０を把持する部分であり、フィッティング性を高めるために指形状に合わせた表面凹凸が設けられている。なお、グリップ部３０３の内部には電池収納室６９Ａ(図４)とカード収納室６７Ａ(図６)とが設けられている。電池収納室６９Ａにはカメラの電源として電池が収納されており、カード収納室６７Ａには撮影画像の画像データを記録するための記録媒体（例えばメモリカード）が着脱可能に収納されるようになっている。なお、グリップ部３０３には、該グリップ部３０３をユーザが把持したか否かを検出するためのグリップセンサを設けるようにしても良い。
【００１８】
モード設定ダイアル３０５及び制御値設定ダイアル３０６は、撮像装置１０の上面と略平行な面内で回転可能な略円盤状の部材からなる。モード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、撮像装置１０に搭載されたモードや機能を択一的に選択するためのものである。制御値設定ダイアル３０６は、撮像装置１０に搭載された各種の機能に対する制御値を設定するためのものである。
【００１９】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押し（Ｓ１）されると、被写体の静止画を撮影するための準備動作（露出制御値の設定や焦点調節等の準備動作）が実行され、シャッターボタン３０７が全押し（Ｓ２）されると、撮影動作（撮像センサを露光し、その露光によって得られた画像信号に所定の画像処理を施してメモリカード等に記録する一連の動作）が実行される。
【００２０】
ＬＣＤ３１１は、カラー液晶パネルを備えてなり、撮像素子１０１（図１０等参照）により撮像された画像の表示や記録済みの画像の再生表示等を行うとともに、撮像装置１０に搭載される機能やモードの設定画面を表示するものである。なお、ＬＣＤ３１１に代えて、有機ＥＬやプラズマ表示装置を用いるようにしても良い。
【００２１】
設定ボタン群３１２は、撮像装置１０に搭載された各種の機能に対する操作を行うボタンである。この設定ボタン群３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２２】
手振れ補正スイッチ３１３は、後述の振れ補正ユニット２００による振れ補正動作を実行させるための操作信号を与えるためのボタンである。この手振れ補正スイッチ３１３は、手持ち撮影、望遠撮影、暗部での撮影、或いは長時間露光が必要な撮影時等、手振れ等の「振れ」の影響が撮影画像に表出する恐れがある場合にユーザにより押下され、当該撮像装置１０の振れ補正動作が行える状態に設定するものである。
【００２３】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズのワイド方向やテレ方向への移動）、ＬＣＤ３１１に再生する記録画像のコマ送り、及び撮影条件（絞り値、シャッタスピード、フラッシュ発光の有無等）の設定等の指示を入力するためのものである。
【００２４】
光学ファインダ３１６は、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２５】
メインスイッチ３１７は、左右にスライドする２接点のスライドスイッチからなり、左にセットすると撮像装置１０の電源がオンされ、右にセットすると電源がオフされる。
【００２６】
フラッシュ部３１８は、ポップアップ式の内蔵フラッシュとして構成されており、回転軸Ｃｏ(図７、図８)を中心に回動することにより、図８に示す起立状態Ｑａと図７に示す伏臥状態Ｑｂとの切替えが可能となっている。
【００２７】
一方、外部フラッシュ等を撮像装置１０に取り付ける場合には、接続端子部３１９を使用して接続されることとなる。なお、図３や図７等では、接続端子部３１９に端子キャップが装着された状態を図示している。
【００２８】
アイカップ３２１は、遮光性を有して光学ファインダ３１６への外光の侵入を抑制する「コ」字状の遮光部材である。
【００２９】
視度調整ダイアル３２２は、光学ファインダ３１６の視度調整を行うためのダイアルである。
【００３０】
露出補正ボタン３２３は、露出値（絞り値やシャッタースピード）を手動で調整するためのボタンであり、ＡＥロックボタン３２４は、露出を固定するためのボタンである。
【００３１】
この撮像装置１０には、図１に点線で示すように、撮像装置１０の適所に振れ検出センサ１７１が搭載されている。この振れ検出センサ１７１は、手振れなどにより撮像装置１０（カメラボディ）に与えられる振れを検出するもので、図１の水平方向をＸ軸（ピッチ方向）、該Ｘ軸に垂直な方向をＹ軸（ヨー方向）とする２次元座標系を想定するものとすると、ピッチ方向のカメラ振れを検出するピッチ方向センサ１７１ａと、ヨー方向のカメラ振れを検出するヨー方向センサ１７１ｂとを有している。ピッチ方向センサ１７１ａ及びヨー方向センサ１７１ｂは、例えば圧電素子を用いたジャイロ（角速度センサ）から構成され、各方向の振れの角速度を検出する。
【００３２】
交換レンズ２(図７)は、被写体からの光（光像）を取り込むレンズ窓として機能するとともに、当該被写体光を撮像装置１０の内部に配置されている後述の撮像素子１０１や光学ファインダ３１６へ導くための撮影光学系と構成するものである。この交換レンズ２は、上述のレンズ交換ボタン３０２を押下操作することで、撮像装置１０から取り外すことが可能とされている。
【００３３】
交換レンズ２は、光軸Ｌに沿って直列的に配置された複数のレンズからなるレンズ群２１を備えてなる（図９参照）。このレンズ群２１には、焦点の調節を行うためのフォーカスレンズ２１１（図１０参照）、変倍を行うためのズームレンズ２１２（図１０参照）が含まれており、それぞれ光軸Ｌ方向に駆動されることで、変倍や焦点調節が行われる。また、交換レンズ２には、その鏡胴２２（図９参照）の外周適所に該鏡胴の外周面に沿って回転可能な操作環が備えられており、上記ズームレンズ２１２は、マニュアル操作或いはオート操作により、上記操作環の回転方向及び回転量に応じて光軸方向に移動し、その移動先の位置に応じたズーム倍率（撮影倍率）に設定されるようになっている。
【００３４】
また、図４において、撮像装置１０の底面側には、撮像装置１０を固定支持するための三脚を取り付ける三脚取付部１８５が備えられている。
【００３５】
＜カメラシステム１の内部構成＞
次に、カメラシステム１の内部構成について説明する。図９は、カメラシステム１の縦断面図である。図９に示すように、撮像装置１０の内部には、撮像素子１０１、ファインダ部１０２（ファインダ光学系）、ミラー部１０３、焦点検出部１０７、上述した振れ検出センサ１７１、振れ補正ユニット２００及びシャッタユニット４０などが備えられている。
【００３６】
撮像素子１０１は、撮像装置１０に交換レンズ２が装着された場合の当該交換レンズ２が備えているレンズ群２１の光軸Ｌ上において、光軸Ｌに対して垂直となる方向に配置されている。撮像素子１０１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型の撮像素子）が用いられる。撮像素子（撮像センサ）１０１は、レンズ群２１により結像された被写体の光像をＲ（赤）、Ｇ（緑）、Ｂ（青）各色成分のアナログの電気信号（画像信号）に変換し、Ｒ、Ｇ、Ｂ各色の画像信号として出力する。
【００３７】
上記の光軸Ｌ上において、被写体光をファインダ部１０２へ向けて反射される位置には、ミラー部１０３（反射板）が配置されている。交換レンズ２を通過した被写体光は、ミラー部１０３（後述の主ミラー１０３１）によって上方へ反射され、焦点板１０４（ピントグラス）に結像される。交換レンズ２を通過した被写体光の一部はこのミラー部１０３を透過する。
【００３８】
ファインダ部１０２は、ペンタプリズム１０５、接眼レンズ１０６及び光学ファインダ３１６を備えている。ペンタプリズム１０５は、断面５角形を呈し、その下面から入射された被写体光像を内部での反射によって当該光像の天地左右を入れ替えて正立像にするためのプリズムである。接眼レンズ１０６は、ペンタプリズム１０５により正立像にされた被写体像を光学ファインダ３１６の外側に導く。このような構成により、ファインダ部１０２は、撮影待機時において被写界を確認するための光学ファインダとして機能する。
【００３９】
ミラー部１０３は、主ミラー１０３１及びサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光は焦点検出部１０７に入射される。
【００４０】
上記のミラー部１０３は、所謂クイックリターンミラーとして構成されており、露光時には回転軸１０３３を回動支点として矢印Ａに示す上方に向けて跳ね上がり、焦点板１０４の下方位置で停止する。この際、サブミラー１０３２は、主ミラー１０３１の背面に対して矢印Ｂで示す方向に回転軸１０３４を支点として回動し、上記のミラー部１０３が焦点板１０４の下方位置で停止したときには、主ミラー１０３１と略平行となるように折り畳まれた状態となる。これにより、交換レンズ２からの被写体光がミラー部１０３によって遮られることなく撮像素子１０１上に届き、該撮影素子１０１が露光される。露光が終了すると、ミラー部１０３は元の位置（図９に示す位置）に復帰する。
【００４１】
焦点検出部１０７は、被写体のピント情報を検出する測距素子等からなる所謂ＡＦセンサとして構成されている。この焦点検出部１０７は、ミラー部１０３の底部に配設されており、例えば周知の位相差検出方式により合焦位置を検出する。
【００４２】
撮像素子１０１は、振れ補正ユニット２００にて光軸Ｌと直交する平面において二次元的に移動可能に保持されている。また、撮像素子１０１の光軸方向直前には、赤外線の入射を防止するための（ＩＲカット用の）及び疑似カラーや色モアレの発生を防止するためのローパスフィルタ１０８が配置されており、さらにローパスフィルタ１０８の直前には、シャッタユニット４０が配置されている。このシャッタユニット４０は、上下方向に移動する幕体を備え、光軸Ｌに沿って撮像素子１０１に導かれる被写体光の光路開口動作及び光路遮断動作を行うメカニカルフォーカルプレーンシャッタである。
【００４３】
マウント部３０１の後部における撮像装置１０の略中央部には、枠体１２０（前枠）が配置されている（図９におけるハッチング部参照）。この枠体１２０は、その前後面部及び上記ペンタプリズム１０５（焦点板１０４）と対向する上面部が開口された正面視略四角形状の角筒体であり、歪み等に対する強度を有した金属製の剛体である。枠体１２０の前面は、マウント部３０１の形状に合わせて円筒状のマウント受け部１２１が形成されており、このマウント受け部１２１にマウント部３０１が嵌合された状態で、前面側から複数のビス１２２によってビス止めされている。枠体１２０は、その内部にミラー部１０３が配置されており当該ミラー部１０３の保持部材を兼ねたものとなっている。なお、シャッタユニット４０は、枠体１２０の後端部と、その後方側に配置されたシャッタ押さえ板１０９にて挟持される態様で枠体１２０に支持されている。
【００４４】
撮像装置１０の上記各部は、例えば鉄などの金属材料からなるシャーシによって互いに連結（固定）されている。本実施形態では上記のシャーシが、前面シャーシ（図示省略）、側面シャーシ１８３及び底面シャーシ１８４から構成されてなる例を示している。これらのシャーシは、上述した撮像装置１０内の各部品を支持する支持材としての役目を果たす。そして、シャーシ同士がビスにより固定され、さらにはシャーシの連結構造体と枠体１２０とがビスにより固定されることで、これらの部材が一体構造物化されているものである。なお、底面シャーシ１８４には、上述した三脚取付部１８５が設けられている。
【００４５】
＜振れ補正ユニットについて＞
続いて、上記図９を参照して振れ補正ユニット２００の構成を詳細に説明する。振れ補正ユニット２００は、撮像素子１０１及びローパスフィルタ１０８と、撮像素子１０１とともにローパスフィルタ１０８を保持する撮像素子ホルダ２０１と、撮像素子ホルダ２０１を保持するスライダ２０２と、撮像素子１０１の後面に配設された放熱板２０３と、放熱板２０３の後面に配設された撮像素子基板２０４と、ヨー方向アクチュエータ２０５と、ピッチ方向アクチュエータ（図示省略）と、振れ台板２０７とを備えて構成されている。
【００４６】
撮像素子基板２０４は、撮像素子１０１がマウントされる略長方形状の基板である。ただし当該マウントは、撮像素子１０１と撮像素子基板２０４との間に放熱板２０３が介在された状態で行われる。放熱板２０３は所定の金属材料からなる板状体であり、撮像素子１０１の駆動（光電変換）により発生した熱を逃がすためのものである。撮像素子ホルダ２０１は断面略長方形状の前後が開口された枠体であり、この枠体の前方部にはローパスフィルタ１０８が取り付けられ、このローパスフィルタ１０８の後方部に撮像素子１０１が配設されている。撮像素子１０１は、撮像素子基板２０４により放熱板２０３と共に撮像素子ホルダ２０１に対して押圧された状態で、当該撮像素子基板２０４が撮像素子ホルダ２０１に対してビス止めされて取り付けられている。
【００４７】
振れ台板２０７は、撮像素子ホルダ２０１が保持された状態のスライダ２０２を保持するための振れ補正ユニット２００における所謂基台をなすものである。
【００４８】
そして、撮像素子ホルダ２０１の上下方向における一端辺部に設けられたヨー方向アクチュエータ２０５の駆動に応じて、振れ台板２０７に対して左右方向にスライダ２０２と撮像素子ホルダ２０１とが一体的にスライド移動することで撮像素子１０１のヨー方向の振れが補正され、撮像素子ホルダ２０１の左右方向における一端辺部に設けられたピッチ方向アクチュエータ（図示省略）の駆動に応じて、スライダ２０２に対して撮像素子ホルダ２０１が上下方向にスライド移動することで撮像素子１０１のピッチ方向の振れが補正されることとなる。
【００４９】
＜カメラシステム１の電気的構成＞
図１０は、カメラシステム１全体の電気的な構成を示すブロック図である。ここで、図１〜図９と同一の部材等については、同一の符号を付している。説明の便宜上、交換レンズ２の電気的構成について先ず説明する。交換レンズ２は、上述した撮影光学系を構成するレンズ群２１及び鏡胴２２に加え、レンズ駆動機構２４と、レンズ位置検出部２５と、レンズ制御部２６と、絞り駆動機構２７とを備えている。
【００５０】
レンズ群２１は、フォーカスレンズ２１１及びズームレンズ２１２と、撮像装置１０に備えられている撮像素子１０１へ入射される光量を調節するための絞り２３とが、鏡胴２２内において光軸Ｌ方向に保持されており、被写体の光像を取り込んで撮像素子１０１等に結像するものである。撮影倍率（焦点距離）の変更や焦点調節動作は、レンズ群２１が撮像装置１０内のＡＦアクチュエータ７１Ｍにより光軸Ｌ方向（図９）に駆動されることで行われる。
【００５１】
レンズ駆動機構２４は、例えばヘリコイド及び該ヘリコイドを回転させる図示省略のギア等で構成され、カプラ７４を介してＡＦアクチュエータ７１Ｍからの駆動力を受けて、レンズ群２１を一体的に光軸Ｌと平行な方向に移動させるものである。なお、レンズ群２１の移動方向及び移動量は、それぞれＡＦアクチュエータ７１Ｍの回転方向及び回転数に従う。
【００５２】
レンズ位置検出部２５は、レンズ群２１の移動範囲内において光軸Ｌ方向に複数個のコードパターンが所定ピッチで形成されたエンコード板と、このエンコード板に摺接しながら鏡胴２２と一体的に移動するエンコーダブラシとを備えており、レンズ群２１の焦点調節時の移動量を検出する。
【００５３】
レンズ制御部２６は、例えば制御プログラムを記憶するＲＯＭや状態情報に関するデータを記憶するフラッシュメモリ等からなるメモリ部２６１が内蔵されたマイクロコンピュータならなる。またレンズ制御部２６は、撮像装置１０のメイン制御部６２との間で通信を行う通信部２６２を備え、この通信部２６２は、例えばレンズ群２１の焦点距離、射出瞳位置、絞り値、合焦距離及び周辺光量状態等の状態情報データをメイン制御部６２に送信する一方、メイン制御部６２から例えばフォーカスレンズ２１１の駆動量のデータを受信する。また撮影時には、ＡＦ動作完了後の焦点距離情報、絞り値等のデータが通信部２６２からメイン制御部６２へ送信される。なお、前記記憶部２６１には、上記レンズ群２１の状態情報データや、メイン制御部６２から送信された例えばフォーカスレンズ２１１の駆動量のデータ等が記憶される。
【００５４】
絞り駆動機構２７は、カプラ７５を介して絞り駆動アクチュエータ７６Ｍからの駆動力を受けて、絞り２３の絞り径を変更するものである。
【００５５】
続いて、撮像装置１０の電気的構成について説明する。撮像装置１０には、先に説明した撮像素子（ＣＭＯＳ）１０１及びこれを振れ補正駆動する振れ補正ユニット２００、シャッタユニット４０等の他に、ＡＦＥ（アナログフロントエンド）５、画像処理部６１、画像メモリ６１４、メイン制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、フォーカス駆動制御部７１Ａ及びＡＦアクチュエータ７１Ｍ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７４Ａ及び絞り駆動アクチュエータ７４Ｍ、位置検出センサ部（ＰＳ）２０８、及び三脚検知センサ１８５Ｓを備えて構成されている。
【００５６】
撮像素子１０１は、先に説明した通りＣＭＯＳカラーエリアセンサからなり、後述のタイミング制御回路５１により、当該撮像素子１０１の露光動作の開始（及び終了）や、撮像素子１０１が備える各画素の出力選択、画素信号の読出し等の撮像動作が制御される。
【００５７】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１へ出力するものである。このＡＦＥ５は、タイミング制御回路５１、信号処理部５２及びＡ／Ｄ変換部５３などを備えて構成されている。
【００５８】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００５９】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、前記タイミング制御回路５１から出力されるタイミングパルスに基づいて、複数のビット（例えば１２ビット）からなるデジタルの画像信号に変換するものである。
【００６０】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００６１】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００６２】
ホワイトバランス補正回路６１２は、光源に応じた白の基準に基づいて、Ｒ（赤）、Ｇ（緑）、Ｂ（青）の各色成分のデジタル信号のレベル変換（ホワイトバランス（ＷＢ）調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００６３】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換すると共にオフセット調整する。
【００６４】
画像メモリ６１４は、撮影モード時には、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００６５】
メイン制御部６２は、例えば制御プログラムを記憶するＲＯＭや一時的にデータを記憶するフラッシュメモリ等の記憶部が内蔵されたマイクロコンピュータからなり、カメラシステム１内の各部の動作を制御するものである。このメイン制御部６２は、機能的に、ＡＦ／ＡＥ制御部６２１および振れ補正制御部６２２を有している。なお、メイン制御部６２は、撮像装置１０におけるシャッタ動作を制御する機能も有している。
【００６６】
ＡＥ／ＡＦ制御部６２１は、自動焦点制御（ＡＦ）及び自動露出制御（ＡＥ）のために必要な動作制御を行う。すなわち、ＡＦのために、上述した焦点検出部（位相差ＡＦモジュール）１０７の出力信号を用いて位相差検出方式による焦点調節処理を行い、合焦制御信号（ＡＦ制御信号）を生成し、フォーカス駆動制御部７１Ａを介してＡＦアクチュエータ７１Ｍを動作させ、フォーカスレンズ２１１の駆動を行わせる。また、ＡＥのために、図示省略のＡＥセンサで検出された被写体の輝度情報等に基づいて、当該被写体における適正な露出量（シャッタ速度等を含む）を求める演算を行う。
【００６７】
振れ補正制御部６２２は、手振れ補正モードが実行される場合において、上述の振れ検出センサ１７１からの振れ検出信号に基づいて振れ方向及び振れ量を算出し、算出された方向及び振れ量に基づき振れ補正制御信号を生成して振れ補正ユニット２００に出力し、撮像素子１０１を手振れが打ち消される方向にシフト駆動させるものである。例えばサーボ制御を行う場合の一例を挙げると、振れ補正制御部６２２は、振れ検出センサ１７１により検出された角速度信号を積分処理して各方向の振れ量（振れ角θ）を求め、交換レンズ２の焦点距離ｆ等のレンズプロフィールに応じて振れ角θに対応する撮像素子１０１の移動距離δ１（δ１＝ｆ・ｔａｎθ）を算出する。そして、位置検出センサ部２０８から撮像素子１０１の位置情報δ２を取得し、δ１−δ２＝０となるように撮像素子１０１を駆動させる駆動信号を生成して振れ補正ユニット２００に与える。
【００６８】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００６９】
操作部６４は、上述のモード設定ダイアル３０５、制御値設定ダイアル３０６、シャッターボタン３０７、設定ボタン群３１２、手振れ補正スイッチ３１３、十字キー３１４、プッシュボタン３１５、メインスイッチ３１７等を含み、操作情報をメイン制御部６２に入力するためのものである。
【００７０】
ＶＲＡＭ６５は、ＬＣＤ３１１の画素数に対応した画像信号の記憶容量を有し、メイン制御部６２とＬＣＤ３１１との間のバッファメモリである。カードＩ／Ｆ６６は、メモリカード６７とメイン制御部６２との間で信号の送受信を可能とするためのインターフェイスである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェイスである。
【００７１】
電源回路６９は、例えば定電圧回路等からなり、メイン制御部６２等の制御部、撮像素子１０１、その他の各種駆動部等、カメラシステム１全体を駆動させるための電圧（例えば５Ｖ）を生成する。なお、撮像素子１０１への通電制御は、メイン制御部６２から電源回路６９に与えられる制御信号により行われる。電池６９Ｂは、アルカリ乾電池等の一次電池や、ニッケル水素充電池等の二次電池からなり、カメラシステム１全体に電力を供給する電源である。
【００７２】
フォーカス駆動制御部７１Ａは、メイン制御部６２のＡＦ／ＡＥ制御部６２１から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、カプラ７４を介して交換レンズ２のレンズ駆動機構２４にレンズ駆動力を与える。
【００７３】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００７４】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００７５】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００７６】
位置検出センサ部２０８は、振れ補正駆動またはカメラ起動時における撮像素子１０１の位置検出を行うものである。位置検出センサ部２０８は、磁力線を出す磁石部と、この磁石部から出る磁力線の強弱に応じた信号を出力する２次元ホールセンサとを備えて構成されている。このような構成により、位置検出センサ部２０８は、振れ台板２０７に対する撮像素子ホルダ２０１の上下左右の移動に伴って移動する磁石部の位置を、２次元ホールセンサによって検出することで、当該撮像素子１０１の位置検出が可能となる。
【００７７】
三脚検知センサ１８５Ｓは、接点部を有する接点センサ等からなり、撮像装置１０の底面シャーシ１８４に設けられている三脚取付部１８５に三脚（支持脚）が取り付けられているか否かを電気的に検出するセンサである。
【００７８】
＜カラーリングについて＞
上述のように撮像装置１０のマウント部３０１の周囲には、当該マウント部３０１の外縁に沿ってオレンジ色（特定の色）が付されたリング状の着色領域であるカラーリングＣａ（図１）が設けられているが、このカラーリングＣａと同様のカラーリングが交換レンズ２側にも設けられている。
【００７９】
図１１は、交換レンズ２を後方から見た図である。また、図１２は、図９の破線部Ｄｔ内を拡大した図である。
【００８０】
図１１に示すように交換レンズ２の後部には、撮像装置１０のマウント部３０１に接続するマウント部２８が配設されているが、このマウント部２８の周囲には、当該マウント部２８の外縁に沿って鏡胴２２の表面色およびマウント部２８の色と異なる、例えばオレンジ色（特定の色）が付されたリング状のカラーリングＣｂ（太線で図示）が設けられている。
【００８１】
そして、撮像装置１０のカラーリングＣａは、図１２に示すようにマウント部３０１の取付け基準面（接合面）から後方に一定距離Ｋａだけ下がった撮像装置１０の前面Ｃａｆに対する印刷によって着色されて形成されている。同様に、交換レンズ２のカラーリングＣｂにおいても、マウント部２８の接合面から後方に一定距離Ｋｂだけ下がった鏡胴２２の後端面Ｃｂｆに対する印刷によって着色されて形成されている。このように撮像装置１０および交換レンズ２においてマウント部３０１、２８の接合面から後方に１段下がった位置にカラーリングＣａ、Ｃｂを設けることにより、カラーリングＣａ、Ｃｂ同士の接触がなくなるため、色のはげ落ちを防止できる。また、印刷によってカラーリングＣａ、Ｃｂを形成することにより、着色を簡易に行え、コストアップが小さくなる。
【００８２】
また、交換レンズ２においてマウント部２８の接合面と平行な面ＣｂｆにカラーリングＣｂが形成されているため、交換レンズ２の装着時にはカラーリングＣｂが視認できず外観上目立たなくなる。同様に、撮像装置１０においてもマウント部３０１の接合面と平行な面ＣａｆにカラーリングＣａが形成されているため、交換レンズ２の装着時にはカメラ正面からの視認が難しくなって外観上目立たなくなる。なお、交換レンズ装着時に目立つのを抑える観点からは、カラーリングＣａ（およびカラーリングＣｂ）は交換レンズ装着前の視認性を妨げない範囲において細いリングとして構成するのが好ましい。
【００８３】
以上のように撮像装置１０および交換レンズ２それぞれにカラーリングＣａ、Ｃｂを設ければ、双方のカラーリングＣａ、Ｃｂに付された色の一致・不一致を判断することで、装着しようとする交換レンズ２が撮像装置１０に対して適切なものであるか否かの判断が可能となる。すなわち、撮像装置１０に装着可能な全ての交換レンズのうち撮像装置１０との適合性に関する所定の条件を満たす特定の交換レンズ２において、撮像装置１０のカラーリングＣａの色と同じ色を持つカラーリングＣｂを設けるようにすれば、不適切な交換レンズ１０の誤装着を防止できることとなる。このような効果を有するカラーリングＣａ、Ｃｂの利用方法について具体的に説明する。
【００８４】
図１３は、カラーリングＣａ、Ｃｂの利用方法を説明するための概念図である。ここで、図１３(ａ)は、例えばＡＰＳサイズの撮像面を持つ撮像素子が搭載された撮像装置（カメラボディ）１０ａに、比較的短いレンズバック（フランジバック）の長さＬａを有する交換レンズ２ａが装着されている様子を示している。一方、図１３(ｂ)は、例えば３５ｍｍサイズの撮像面を持つ撮像素子が搭載された撮像装置１０ｂに、比較的長いレンズバック（フランジバック）の長さＬｂを有する交換レンズ２ｂが装着されている様子を示している。
【００８５】
そして、適切な組合せである撮像装置１０ａおよび交換レンズ２ａの各カラーリングＣａ、Ｃｂに同一の色（例えば青色）を付けるとともに、適切な組合せである撮像装置１０ｂおよび交換レンズ２ｂの各カラーリングＣａ、Ｃｂに上記の青色と異なる同一の色（例えば赤色）を付ける。すなわち、撮像面のサイズやフランジバックの長さに応じて規定される色がカラーリングに付与されるとともに、撮像面のサイズやフランジバックの長さに対しての適合条件を満たす適切な組合せの撮像装置および交換レンズにおいては、双方のカラーリングに対して同等の色を付けるようにする。これにより、撮像装置１０ａに例えば交換レンズ２ｂを装着しようとする場合には、撮像装置１０ａ側のカラーリングＣａの色（青色）と交換レンズ２ｂ側のカラーリングＣｂの色（赤色）とが一致しないため、不適切な組合せの撮像装置および交換レンズであることがユーザにおいて容易に認識できる。その結果、撮像面のサイズやフランジバックの長さが適合しない不適切な交換レンズの誤装着を確実に防止できる。
【００８６】
以上のように適切な組合せを構成する撮像装置および交換レンズに同一色のカラーリングＣａ、Ｃｂを設けるとともに適切な組合せごとにカラーリングＣａ、Ｃｂの色を変更することにより、交換レンズ２の装着の際にカラーリングＣａ、Ｃｂの色を対比することで、当該交換レンズ２が撮像装置１０に対して適切であるか否かが容易に判断でき、不適切な交換レンズの誤装着を簡易に防止できることとなる。また、撮像装置と交換レンズとに関する適切な組合せが多数存在する場合でも、カラーリングの色を増やすことで容易に対応することが可能である。
【００８７】
なお、撮像装置１０および交換レンズ２のカラーリングＣａ、Ｃｂについては、印刷技術を用いて形成するのは必須でなく、カラーリングＣａ、Ｃｂを形成するための部材を撮像装置１０および交換レンズ２に取り付ける構成を採用しても良い。この構成について具体的に説明する。
【００８８】
図１４は、図１２に対応した図であり、カラーリングの他の構成について説明する図である。
【００８９】
撮像装置１０では、略Ｌ字状の断面形状を有するリング状の部材３２０が、図１２に示すマウント受け部１２１を前後方向に分割したような２つの部材１２１ａ、１２１ｂの間に介挿されるとともに、マウント部３０１の外周面と撮像装置１０の筐体１０ｓとの間に介挿されており、ビス１２２によって固定されている。このようにマウント部３０１の周囲に配設された環状の部材３２０は、例えばアルミで形成されており、アルマイト処理によって例えばオレンジ色に着色されている。このような構成の部材３２０により、撮像装置１０の前面に露出している部材３２０によってカラーリングＣｓ（図１）が形成されることとなる。
【００９０】
交換レンズ２では、Ｌ字状の断面形状を有するリング状の部材２９が、図１２に示すマウント部２８に対応するマウント部２８ａと鏡胴２２との間に介挿されており、ビス１２２によって固定されている。このようにマウント部２８ａの周囲に配設された環状の部材２９は、例えばアルミで形成されており、アルマイト処理によって例えばオレンジ色に着色されている。このような構成の部材２９により、交換レンズ２の後端面に露出している部材２９によってカラーリングＣｔ（図１１）が形成されることとなる。
【００９１】
以上のように部材３２０および部材２９で形成されたカラーリングＣｓ、Ｃｔは、色落ちなどの発生を効果的に抑えることが可能となる。
【００９２】
そして、カラーリングＣｓは、上述のカラーリングＣａ（図１２参照）と同様に撮像装置１０のマウント部３０１の接合面から後方に１段下がった位置に形成されるとともに、カラーリングＣｔも、上述のカラーリングＣｂ（図１２参照）と同様に交換レンズ２のマウント部２８ａの接合面から１段下がった位置に形成されている。これにより、各カラーリングＣｓ、Ｃｔが互いに接触して磨耗するのを防止できる。
【００９３】
図１５は、図１２に対応した図であり、カラーリングの他の構成について説明する図である。
【００９４】
撮像装置１０のマウント部３０１の周囲に、当該マウント部３０１の外縁に沿ってオレンジ色（特定の色）が付されたリング状の部材であるカラーリングＣｐが設けられている。このカラーリングＣｐは、プラスチック（ＡＢＳ樹脂）製で、その材料自体がオレンジ色をしており、撮像装置１０の前面Ｃａｆに固定して設けられている。そして、カラーリングＣｐの半径方向外周側において、カラーリング(外観上の着色領域に相当)Ｃｐの外縁に沿って円環状の部材３０４がカラーリングＣｐに噛み合わさるように配設されている。この部材３０４の色は、マウント部３０１と同じ色である。より詳しくは、マウント部３０１と同じくアルミで形成された円環状の部材３０４の前端面３０４ｆは、マウント部３０１の取付け基準面(接合面)３０１ｆと同じ加工が施されているため、円環状の部材３０４の前端面３０４ｆは、マウント部３０１の接合面３０１ｆの色と同等の色を有している。また、円環状の部材３０４は、その光軸方向における被写体側の前端面３０４ｆがマウント部３０１の接合面３０１ｆと同じ位置になるように、撮像装置１０の前面Ｃａｆに固定して設けられている。すなわち、円環状の部材３０４の前端面３０４ｆとマウント部３０１の接合面３０１ｆとは、ほぼ同一の平面上に配置されている。
【００９５】
図１６は、上述のカラーリングＣｐおよび部材３０４が設けられた撮像装置１０の正面図である。本図のように、カラーリングＣｐの外周側にマウント部３０１と同色の円環状の部材３０４が設けられている。
【００９６】
以上のようなカラーリングＣｐと円環状の部材３０４とをマウント部３０１の周囲に設けることにより、あたかもマウント部３０１の接合面の一部にカラーリングＣｐが設けられているような印象をユーザに与えられる。そして、交換レンズ２の装着の際にはカラーリングＣｐがより一層強調され、確実に不適切な交換レンズ２の誤装着を防止できることとなる。
【００９７】
ここで、円環状の部材３０４を設ける半径方向の位置(円環の中心からの距離)を変更すれば、外部から視認されるカラーリングＣｐの幅を調整することが可能である。
【００９８】
なお、図１５では、カラーリングＣｐの半径方向の外周側において、円環状の部材３０４が重なって配置される場合を示したが、光軸方向において重ならないようにカラーリングＣｐの外側に部材３０４を配置するようにしても良い。
【００９９】
以上では、リング状の部材によりカラーリングＣｐが構成される例を示したが、図１２のように印刷によって着色することでカラーリングを構成しても良い。このように着色によりカラーリングを構成した場合には、当該カラーリングの外側に円環状の部材３０４を設けることで、確実に着色部分の色落ちなどの発生を効果的に抑えることが可能となる。なお、図１４のようにマウント受け部１２１を前後方向に分割したような２つの部材１２１ａ、１２１ｂの間に、リング状の部材を介挿することでカラーリングを構成しても良い。
【０１００】
また、上述したカラーリングを利用して撮像装置と交換レンズとの組合せが適切か否かを判断するのは必須でなく、コンバータレンズと交換レンズとの組合せが適切か否かを判断するようにしても良い。これに関して具体的に説明する。
【０１０１】
図１７は、撮像装置１０と交換レンズ２ｃとの間にコンバータレンズ２ｄが取付けられている様子を示す図である。また、図１８は、図１７の破線部Ｄｓ内の断面を示す図である。
【０１０２】
交換レンズ２ｃの背面には、図１９(ａ)に示すようにマウント部２８ｃの外縁に沿って例えば赤色の着色が施されたカラーリングＣｃ（太線で図示）が設けられている。また、コンバータレンズ２ｄの前面には、図１９(ｂ)に示すようにマウント部２８ｄの外縁に沿って例えば赤色の着色が施されたカラーリングＣｄ（太線で図示）が設けられている。
【０１０３】
そして、コンバータレンズ２ｄのカラーリングＣｄは、図１８に示すようにマウント部２８の接合面から後方に１段下がった鏡胴の前端面に対する印刷によって着色されて形成されている。一方、交換レンズ２ｃのカラーリングＣｃについても、マウント部２８ｃの接合面から後方に１段下がった鏡胴の後端面に対する印刷によって着色されて形成されている。これにより、各カラーリングＣｃ、Ｃｄが互いに接触しないため、その色がはげ落ちるのを防止できる。
【０１０４】
以上のような交換レンズ２ｃとコンバータレンズ２ｄとの組合せにおいても、上述した撮像装置１０と交換レンズ２との組合せと同様に、カラーリングＣｃ、Ｃｄの着色を行えば、各カラーリングＣｃ、Ｃｄに付された色の一致・不一致を判断することで、交換レンズ２ｃがコンバータレンズ２ｄに装着可能か否か等の判断が可能となる。
【０１０５】
＜変形例＞
・上記の実施形態におけるカラーリングについては、撮像素子のサイズやフランジバック（レンズバック）の長さの相違で異なる色を付けるのは必須でなく、次に挙げるケース(１)〜(３)において異なる色を付けるようにしても良い。
【０１０６】
(１)撮像装置のタイプの相違
撮像装置１０がフィルムカメラの場合とデジタルカメラの場合とで、異なる色をカラーリングに付ける。これにより、撮像装置のタイプと適合しない不適切な交換レンズの誤装着を確実に防止できる。その結果、照度低下などの不適切な撮影が防げる。
【０１０７】
(２)交換レンズの内部構成
交換レンズ２の内部に絞りやフォーカスレンズを駆動するためのアクチュエータが存在するか否かで、異なる色をカラーリングに付ける。これにより、内部構成が適切でない交換レンズの誤装着を確実に防止できる。
【０１０８】
(３)交換レンズの光学特性の相違
交換レンズが大口径であったり非球面レンズを採用しているかなど光学特性が異なる場合に、異なる色をカラーリングに付ける。これにより、光学特性が適切でない交換レンズの誤装着を確実に防止できる。
【０１０９】
・上記の実施形態におけるカラーリングについては、適切な組合せの撮像装置および交換レンズごとに、そのパターンや模様、色の濃度、透明度などを変更して区別するようにしても良い。
【０１１０】
・上記の実施形態におけるカラーリングについては、例えば着色されたリング状のシール（シート）をマウント部の外縁に沿って貼付して形成するようにしても良い。
【０１１１】
・上記の実施形態におけるカラーリングについては、完全なリング形状を有するのは必須でなく、リングの一部が欠けた円弧状の形状を有していても良い。
【０１１２】
・上記の実施形態における交換レンズについては、撮像装置（カメラボディ）に対して互換性のあるものに限らず、互換性のないものでも良い。このように互換性のない交換レンズでは、撮像装置への装着が物理的に不可能であるため実際に装着されることがないものの、上述のカラーリングを設ければ、ユーザによる装着作業前の早期段階で不適切な交換レンズであることが判断できる。
【図面の簡単な説明】
【０１１３】
【図１】本発明の実施形態に係る撮像装置１０の外観構成を示す図である。
【図２】撮像装置１０の外観構成を示す図である。
【図３】撮像装置１０の外観構成を示す図である。
【図４】撮像装置１０の外観構成を示す図である。
【図５】撮像装置１０の外観構成を示す図である。
【図６】撮像装置１０の外観構成を示す図である。
【図７】撮像装置１０に交換レンズ２が装着されたカメラシステム１の斜視図である。
【図８】フラッシュ部３１８の起立状態を示す図である。
【図９】カメラシステム１の縦断面図である。
【図１０】カメラシステム１全体の電気的な構成を示すブロック図である。
【図１１】交換レンズ２を後方から見た図である。
【図１２】図９の破線部Ｄｔ内を拡大した図である。
【図１３】カラーリングＣａ、Ｃｂの利用方法を説明するための概念図である。
【図１４】カラーリングの他の構成について説明する図である。
【図１５】カラーリングの他の構成について説明する図である。
【図１６】カラーリングＣｐおよび部材３０４が設けられた撮像装置１０の正面図である。
【図１７】撮像装置１０と交換レンズ２ｃとの間にコンバータレンズ２ｄが取付けられている様子を示す図である。
【図１８】図１７の破線部Ｄｓ内の断面を示す図である。
【図１９】交換レンズ２ｃとコンバータレンズ２ｄとに設けられた各カラーリングＣｃ、Ｃｄを示す図である。
【符号の説明】
【０１１４】
１  カメラシステム
２、２ａ〜２ｃ  交換レンズ
２ｄ  コンバータレンズ
１０、１０ａ、１０ｂ  撮像装置
２８、２８ｃ  交換レンズのマウント部
２８ｄ  コンバータレンズのマウント部
２９、３２０  カラーリング用の部材
１０１、１０１ａ、１０１ｂ  撮像素子
１２１  マウント受け部
３０１  撮像装置のマウント部
Ｃａ〜Ｃｄ、Ｃｐ、Ｃｓ、Ｃｔ  カラーリング
Ｌａ、Ｌｂ  フランジバック（レンズバック）の長さ
【図１】
2008015476.tif 000003
【図２】
2008015476.tif 000004
【図３】
2008015476.tif 000005
【図４】
2008015476.tif 000006
【図５】
2008015476.tif 000007
【図６】
2008015476.tif 000008
【図７】
2008015476.tif 000009
【図８】
2008015476.tif 000010
【図９】
2008015476.tif 000011
【図１０】
2008015476.tif 000012
【図１１】
2008015476.tif 000013
【図１２】
2008015476.tif 000014
【図１３】
2008015476.tif 000015
【図１４】
2008015476.tif 000016
【図１５】
2008015476.tif 000017
【図１６】
2008015476.tif 000018
【図１７】
2008015476.tif 000019
【図１８】
2008015476.tif 000020
【図１９】
2008015476.tif 000021